(57)【要約】【課題】  患者のプライバシーを保護する保護プレートを備えた廊下灯と保護プレートを持たない廊下灯を、同一デザインの廊下灯ケースで構成しても、違和感なく構成することが可能なナースコール装置を提供する。【解決手段】  廊下灯４の前面に設けた患者表示領域７ｂを覆い視認不可とする保護プレート６を装着するための軸受け１９を廊下灯ケース７の左右両側面に形成し、保護プレート６を回動開閉操作可能に装着した。保護プレート６には、閉じて患者表示領域７ｂを覆った状態でも患者表示部１５の中の個別表示灯１３と救護区分表示部１４を視認可能とする窓２３を開口形成した。【選択図】  図２
2006102378.tif 000002
【特許請求の範囲】
【請求項１】
患者からの呼び出しに応答するためのナースコール親機と、患者が看護師を呼び出すための複数のナースコール子機と、前記ナースコール子機からの呼び出しを管理するための複数の廊下灯と、前記ナースコール親機および前記廊下灯を制御する制御機と、を有するナースコール装置であって、
前記廊下灯は、患者情報を表示する患者表示部を列設した患者表示領域を有し、前記複数の廊下灯のうち少なくとも１つは、前記患者表示領域の一部又は全部を視認不可とする保護プレートを備え、
前記保護プレートは、前記患者表示領域を前面に設けた廊下灯ケースの左右両側面に設けた軸受けに軸着されて回動開閉操作が可能であって、この回動開閉操作により前記患者表示領域の一部又は全部の視認可能／不可能操作を実施可能とすることを特徴とするナースコール装置。
【請求項２】
前記保護プレートと前記廊下灯ケースの両側面とは、前記保護プレートを装着した状態で互いに嵌合する嵌合部を有し、装着状態が保持されることを特徴とする請求項１記載のナースコール装置。
【請求項３】
前記廊下灯は、取付プレートを介して壁面に取り付けられ、前記廊下灯ケース側の前記嵌合部が、前記取付プレートの位置を示すガイド部を兼ねることを特徴とする請求項２記載のナースコール装置。
【請求項４】
患者からの呼び出しに応答するためのナースコール親機と、患者が看護師を呼び出すための複数のナースコール子機と、前記ナースコール子機からの呼び出しを管理するための複数の廊下灯と、前記ナースコール親機および前記廊下灯を制御する制御機と、を有するナースコール装置であって、
前記廊下灯は、患者情報を表示する患者表示部を列設した患者表示領域を有し、前記複数の廊下灯のうち少なくとも１つは、前記患者表示領域の一部又は全部を視認不可とする保護プレートを備え、
前記保護プレートは、前記患者表示領域を前面に設けた廊下灯ケースに装着するための装着枠と、前記装着枠に軸着されて回動開閉操作が可能な開閉プレートとから成り、前記開閉プレートの回動開閉操作により前記患者表示領域の一部又は全部の視認可能／不可能操作を実施可能とすることを特徴とするナースコール装置。
【請求項５】
前記装着枠と前記開閉プレートとは、前記開閉プレートを閉じた状態で互いに嵌合する嵌合部を有し、閉塞状態が保持されることを特徴とする請求項４記載のナースコール装置。
【請求項６】
前記保護プレートと前記廊下灯ケースの両側面とは、前記保護プレートを装着した状態で互いに嵌合する嵌合部を有し、装着状態が保持されることを特徴とする請求項４又は５に記載のナースコール装置。
【請求項７】
前記患者表示部は、患者名表示部、個別表示灯、救護区分表示部を備え、前記保護プレートは、前記救護区分、前記個別表示灯のうち少なくとも一つを常時視認可能とするための窓を有することを特徴とする請求項１乃至請求項６の何れかに記載のナースコール装置。
【請求項８】
前記廊下灯は、前記保護プレートが開状態にあることを検出するセンサを有し、前記保護プレートが開状態にあることを前記センサが一定時間検知し続けたら、前記廊下灯及び／又は前記ナースコール親機においてその報知動作を行うことを特徴とする請求項１乃至請求項７の何れかに記載のナースコール装置。
【発明の詳細な説明】
【技術分野】
【０００１】
本発明はナースコール装置に関し、特に患者が呼出操作をするためのナースコール子機を病室毎に管理する廊下灯の改良に関する。
【背景技術】
【０００２】
ナースコール装置は、ナースステーションに設置されて患者からの呼び出しに応答するためのナースコール親機、病室内の個々のベッドに設置されて看護師を呼び出すためのナースコール子機、病室ごとに廊下に設置されてナースコール子機からの呼出を管理すると共に患者情報を表示する廊下灯、そしてこれらを制御する制御機を主要な構成要素としている。
このうち廊下灯は、患者からの呼び出しに対して看護師の速やかな対応を支援するために、呼び出しが成されたベッド位置を表示すると共に、患者の氏名、救護区分等の患者情報を表示している。このような特性上、廊下灯は見舞い客等の人目につきやすい場所に設置されている。そのため、プライバシー保護の観点から、例えば、特許文献１に開示されているように、普段は患者情報が見えないように保護プレートを備えた廊下灯がある。この特許文献１では、保護プレート（プライバシー保護プレート）を設けることで、通常は患者名等を目隠ししてプライバシー保護を図り、看護師等が患者情報を見たいときは保護プレートを上方にスライドすることで、目隠しを外して患者情報を得ることができるよう構成されている。
【０００３】
【特許文献１】特開２００４−９４７６４号公報
【発明の開示】
【発明が解決しようとする課題】
【０００４】
このように、従来のナースコール装置には、廊下灯に保護プレートを備えてプライバシー保護を図ったものがある。しかし、上記特許文献１に示す保護プレートは、廊下灯ケース前面にガイド溝を設け、そのガイド溝にそって保護プレートを上下にスライドして患者名の表示／非表示を実施する構成となっているため、廊下灯ケースは前面に保護プレートを挿入する専用のガイド溝が突設されていた。そのため、保護プレートを使用しない廊下灯と合わせて設置する場合、保護プレートを装着可能な上記廊下灯ケースを用いて構成すると、保護プレートを設けない廊下灯のデザインに違和感を生じていた。このようなことから、保護プレートを使用しない廊下灯と合わせて設置する場合、２種類のデザインの廊下灯が設置されることになった。
【０００５】
そこで、本発明はこのような問題点に鑑みなされたもので、患者のプライバシーを保護する保護プレートを備えた廊下灯と保護プレートを持たない廊下灯を、同一デザインの廊下灯ケースで構成しても、違和感なく構成することが可能なナースコール装置を提供することを目的とする。
【課題を解決するための手段】
【０００６】
上記課題を解決する為に、請求項１に記載の発明は、患者からの呼び出しに応答するためのナースコール親機と、患者が看護師を呼び出すための複数のナースコール子機と、ナースコール子機からの呼び出しを管理するための複数の廊下灯と、ナースコール親機および廊下灯を制御する制御機と、を有するナースコール装置であって、廊下灯は、患者情報を表示する患者表示部を列設した患者表示領域を有し、複数の廊下灯のうち少なくとも１つは、患者表示領域の一部又は全部を視認不可とする保護プレートを備え、保護プレートは、患者表示領域を前面に設けた廊下灯ケースの左右両側面に設けた軸受けに軸着されて回動開閉操作が可能であって、この回動開閉操作により患者表示領域の一部又は全部の視認可能／不可能操作を実施可能とすることを特徴とする。
この構成により、廊下灯ケース側面に保護プレートを装着する軸受けを設けるので、廊下灯ケース前面には保護プレートを装着する専用の部材を設ける必要が無くなる。そのため、保護プレートを取り外しても廊下灯ケースの特に前面に不必要な突起等を無くすことができ、保護プレートの有無に拘わらず廊下灯ケースのデザインを良好な状態に維持することができる。従って、保護プレートを備えた廊下灯と保護プレートを持たない廊下灯を、同一デザインの廊下灯ケースで構成しても、違和感なく構成することが可能となる。
また、保護プレートの回動開閉操作で視認可能／不可能操作を実施できるので、患者情報視認操作がしやすい。
【０００７】
請求項２の発明は、請求項１に記載の発明において、保護プレートと廊下灯ケースの両側面とは、保護プレートを装着した状態で互いに嵌合する嵌合部を有し、装着状態が保持されることを特徴とする。
この構成により、保護プレートを廊下灯ケースに確実に装着でき、自然に外れるようなことがない。また、嵌合部は廊下灯ケースの側面に設けられるので、前方から見え難くできる。
【０００８】
請求項３の発明は、請求項２に記載の発明において、廊下灯は、取付プレートを介して壁面に取り付けられ、廊下灯ケース側の前記嵌合部が、前記取付プレートの位置を示すガイド部を兼ねることを特徴とする。
この構成により、廊下灯ケースに設けた嵌合部の位置で取付プレートの位置が判るので、着脱操作がし易いし、別途取付プレートの位置を示すガイドを設ける必要がない。
【０００９】
請求項４の発明は、患者からの呼び出しに応答するためのナースコール親機と、患者が看護師を呼び出すための複数のナースコール子機と、ナースコール子機からの呼び出しを管理するための複数の廊下灯と、ナースコール親機および廊下灯を制御する制御機と、を有するナースコール装置であって、廊下灯は、患者情報を表示する患者表示部を列設した患者表示領域を有し、複数の廊下灯のうち少なくとも１つは、患者表示領域の一部又は全部を視認不可とする保護プレートを備え、保護プレートは、患者表示領域を前面に設けた廊下灯ケースに装着するための装着枠と、装着枠に軸着されて回動開閉操作が可能な開閉プレートとから成り、開閉プレートの回動開閉操作により患者表示領域の一部又は全部の視認可能／不可能操作を実施可能とすることを特徴とする。
この構成により、保護プレートを装着する為に廊下灯ケースに必要な構成要素は装着枠を保持する為の嵌合溝を設ける程度である。そのため、保護プレートを取り外しても廊下灯ケースに不必要な突起等のデザイン上の不自然な点を無くすことができ、保護プレートの有無に拘わらず廊下灯ケースのデザインを良好な状態に維持することができる。従って、保護プレートを備えた廊下灯と保護プレートを持たない廊下灯を、同一デザインの廊下灯ケースで構成しても、違和感なく構成することが可能となる。
また、取付専用の装着枠により廊下灯ケースに取り付けるので、堅牢に取り付けることができるし、回動開閉操作で視認可能／不可能操作を実施でき、患者情報視認操作がしやすい。
【００１０】
請求項５の発明は請求項４に記載の発明において、装着枠と開閉プレートとは、開閉プレートを閉じた状態で互いに嵌合する嵌合部を有し、閉塞状態が保持されることを特徴とする。
この構成により、開閉プレートは閉じた状態が保持され、自然に開くようなことがない。
【００１１】
請求項６の発明は、請求項４又は５の発明において、保護プレートと廊下灯ケースの両側面とは、保護プレートを装着した状態で互いに嵌合する嵌合部を有し、装着状態が保持されることを特徴とする。
この構成により、保護プレートを廊下灯ケースに確実に装着でき、自然に外れるようなことがない。また、嵌合部は廊下灯ケースの側面に設けられるので、前方から見え難くできる。
【００１２】
請求項７の発明は、請求項１乃至請求項６の何れかに記載の発明において、患者表示部は、患者名表示部、個別表示灯、救護区分表示部を備え、保護プレートは、救護区分、個別表示灯のうち少なくとも一つを常時視認可能とするための窓を有することを特徴とする。
この構成により、救護区分と個別表示灯の何れかは、保護プレートを開けることなく視認でき、保護プレートを開操作することなく最低限の患者情報を別途操作することなく速やかに得ることができる。
【００１３】
請求項８の発明は、請求項１乃至請求項７の何れかに記載の発明において、廊下灯は、保護プレートが開状態にあることを検出するセンサを有し、保護プレートが開状態にあることをセンサが一定時間検知し続けたら、廊下灯及び／又はナースコール親機においてその報知動作を行うことを特徴とする。
この構成により、保護プレートが開状態となっていることを報知するので、看護師等にそれを気づかせることができ、プライバシーの保護を怠るような事態が生じない。また、何れの廊下灯のプライバシー保護プレートが開いた状態になっているのか識別可能とする報知動作も容易に実施でき、速やかな対応も可能となる。
【発明の効果】
【００１４】
このように本発明によれば、廊下灯ケース側面に軸受けや嵌合部を設けるので、廊下灯ケース前面には保護プレートを装着する為の専用の部材を設ける必要が無くなる。そのため、保護プレートを取り外しても廊下灯ケースの特に前面に不必要な突起等を無くすことができ、廊下灯ケースのデザインを保護プレートの有無に拘わらず良好な状態に維持することができる。従って、保護プレートを備えた廊下灯と保護プレートを持たない廊下灯を、同一デザインの廊下灯ケースで構成しても、違和感なく構成することが可能となる。
また、保護プレートの回動開閉操作で患者表示領域の視認可能／不可能操作を実施でき、患者情報視認操作がしやすい。
【発明を実施するための最良の形態】
【００１５】
以下、本発明を具体化した実施の形態を、図面に基づいて詳細に説明する。図１は、本発明に係るナースコール装置の一例を示す構成図であり、ナースステーションに設置されて患者からの呼び出しに応答するためのナースコール親機１と、看護師を呼び出すために各ベッドに設けられるプレート子機２及びベッド子機３と、病室毎に設置されて病室内の患者の情報を表示すると共にナースコール子機３が接続される廊下灯４と、通話及びデータの送受を制御する制御機５とから構成され、制御機５は制御機幹線８ａを介してナースコール親機１に接続され、各廊下灯４は廊下灯幹線８ｂを介して制御機５に接続されている。また、廊下灯４は、後述する保護プレート６を装着した第１廊下灯４ａと、保護プレート６を持たない第２廊下灯４ｂとで構成されている。尚、プレート子機２とベッド子機３とでナースコール子機は構成されている。
【００１６】
図２は廊下灯４の詳細を示し、図２（ａ）は保護プレート６を装着しない状態（第２廊下灯４ｂ）の正面図、図２（ｂ）はその右側面図、図２（ｃ）は保護プレート６を装着した状態（第１廊下灯４ａ）の正面図である。この図２に示すように、第１廊下灯４ａ及び第２廊下灯４ｂは共通する廊下灯ケース７で構成されている。
廊下灯ケース７は、前面が上下に３つの領域に分割して構成され、上部の領域は、部屋番号（ここでは部屋番号「１０１」）を表示する部屋番号表示部１０と、その左右に呼び出しが成されていることを点滅表示する代表表示灯１１とを設けた部屋番号表示領域７ａである。そして、中央の領域は、患者名表示部１２と個別表示灯１３と救護区分表示部１４とから成る患者表示部１５を患者別に列設した患者表示領域７ｂであり、下部の領域は、呼び出しを確認して廊下灯を待受状態に戻すための復旧ボタン１６を設けたボタン領域７ｃとして構成されている。
【００１７】
患者表示領域７ｂの患者名表示部１２は、病室内のベッドの配置に合わせて患者名が記入表示され、救護区分表示部１４は、個々の患者の救護区分（担送、護送、独歩）が色分けされて表示されている。この表示により、どの患者が何処のベッドにいるかを速やかに認識できるし、同時に救護区分の形態も知ることができる。また、１７はセンサであり、装着した保護プレート６の開閉を検知するためのもので患者表示領域７ｂに設けられている。このセンサ１７は、保護プレート６を閉じた際に保護プレート６で隠される部位に設置され、明暗を検知する照度センサが使用されている。
一方、廊下灯ケース７側面には、図２（ｂ）に示すように保護プレート６を取り付けると共に回動開閉操作を可能とするための孔状の軸受け１９と、装着した保護プレート６を係止する嵌合溝２０が設けられている。
【００１８】
尚、このように構成された廊下灯ケース７は、図１１に示す金属製の取付プレート４２を介して壁面に取り付けられるため、廊下灯ケース７の背面には取付プレート４２の係止爪４２ａを挿入係止するための係止孔（図示せず）が設けられている。そこで、上記嵌合溝２０は、この係止孔と同一の高さに設けられており、係止孔位置を示すガイド部２１として利用できるようになっている。そのため、嵌合溝２０の位置から、係止爪４２ａの位置を知ることができ、廊下灯ケース７の取付操作を容易に行うことができる。
【００１９】
図３は保護プレート６の斜視図を示している。保護プレート６は、廊下灯ケース７前面の患者表示領域７ｂ全体を覆う平坦な目隠し部６ａと、廊下灯ケース７の左右側部を覆うよう配置される側板６ｂとから成り、全体はプラスチックで作製されて僅かに弾性を有するよう形成されている。目隠し部６ａには、個別表示灯１３及び救護区分表示部１４を露出させる窓２３が各患者表示部１５に合わせて開口され、目隠し板６ａの下辺には指を掛け易くするための持ち上げ片２４が設けられ、保護プレート６の開操作をし易くしている。
側板６ｂは、上部に廊下灯ケース７の軸受け１９に軸着される軸２５を備え、下部には嵌合溝２０に嵌合する嵌合片２６が設けられている。軸２５は、図３のＡ部を拡大した図４（ａ）に示すように円筒状に形成され、左右対向配置されている。嵌合片２６は、図３のＢ部を拡大した図４（ｂ）に示すように、舌状に後方へ突出形成されると共に内側に突起した係合片２６ａを有し、閉じた状態で廊下灯ケース７の溝２０に嵌合する。  
【００２０】
上記構成の保護プレート６は、左右側板６ｂを外側に開くように撓ませて廊下灯ケース７の前方から患者表示領域７ｂを覆うように装着操作することで、軸受け１９に軸２５が軸着されて廊下灯ケース７に装着される。この状態が図２（ｃ）に示す状態であり、僅かに開いた状態を図５に示している。装着した保護プレート６は、軸２５を中心に回動開閉操作でき、閉じた状態から略１２０°と、患者表示領域７ｂを十分見やすい状態まで開くことができる。また、閉塞時は嵌合片２６と嵌合溝２０とが嵌合して、閉塞状態を保持する。
【００２１】
このように、廊下灯ケース側面に保護プレートを装着する軸受けを設け、廊下灯ケース前面には保護プレートを装着する専用の部材を設けないので、保護プレートを取り外しても廊下灯ケースの特に前面に不必要な突起等を無くすことができ、保護プレートの有無に拘わらず廊下灯ケースのデザインを良好な状態に維持することができる。従って、保護プレートを備えた廊下灯と保護プレートを持たない廊下灯を、同一デザインの廊下灯ケースで構成しても、違和感なく構成することが可能となる。
そして、保護プレートの回動開閉操作で視認可能／不可能操作を実施できるので、患者情報視認操作がしやすい。
また、保護プレートと廊下灯ケース側面との間に互いに嵌合片と嵌合溝から成る嵌合部を設けたことで保護プレートを廊下灯ケースに確実に装着でき、自然に外れるようなことがないし、嵌合部は側面に設けられるので、前方からは目立たない。
また、廊下灯ケースに設けた嵌合溝の位置で取付プレートの位置が判るので、着脱操作がし易いし、別途取付プレートの位置を示すガイドを設ける必要がない。
【００２２】
尚、窓２３は開口形成されているが、保護プレート６を透明な樹脂で作製しても良く、その場合は窓を孔加工せずに隠したい場所を加色加工して不透明にして形成しても良い。また、側板６ｂの軸２５近傍に突起を設けると共に、保護プレート６開放時にその突起に係合する凹部を廊下灯ケース７の側面に設ければ、開放状態を保持することが可能であり、患者名や救護区分を変更する際や深夜の見回り等の際に便利である。更に、センサ１７は、保護プレート６の閉塞によりオン或いはオフ動作する近接センサを使用しても良い。
【００２３】
図６は、図１に示すナースコール装置のナースコール親機１と第１廊下灯４ａを回路ブロック図で示した要部構成図を示している。第１廊下灯４ａは、代表表示灯１１、個別表示灯１３、復旧ボタン１６、センサ１７に加え、内部にタイマ２８及び廊下灯４を制御する廊下灯ＣＰＵ２９、廊下灯幹線８ｂを介して制御機５に接続するための廊下灯インターフェイス３０、ベッド子機３を接続するための子機用インターフェイス（子機用ＩＦ）３１を備えている。尚、保護プレート６を持たない第２廊下灯４ｂは、センサ１７やタイマ２８を設ける必要がない。
一方、ナースコール親機１は、患者情報等を表示する液晶表示部（ＬＣＤ）３３、ＬＣＤ駆動回路３４、タッチパネル３５、通話するためのスピーカ及びマイク（ＳＰ／ＭＩＣ）３６、通話回路３７、呼出音発生回路３８、ナースコール親機１を制御する親機ＣＰＵ３９、制御機５を接続するための親機インターフェイス（親機ＩＦ）４０を備えている。
【００２４】
以下、ナースコール装置の動作を図６を基に説明する。但し、ナースコール装置の基本動作である患者がベッド子機３を操作して看護師を呼び出す動作、そしてナースコール子機とナースコール親機１との間で通話をする動作、更に看護師がナースコール親機１から患者を呼び出して通話をする動作等は、公知のナースコール装置と同様であるし本発明の要部ではないので説明を省略し、保護プレート６を備えた第１廊下灯４ａの動作を中心に説明する。尚、ナースコール子機を構成するプレート子機２にマイク及びスピーカが内蔵され、このマイク及びスピーカとナースコール親機１との間で通話が成される。
【００２５】
今、第１廊下灯４ａに接続されたベッド子機３から呼び出しが成されたら、廊下灯ＣＰＵ２９はそれを検知して制御機５に呼出信号を伝送し、並行して代表表示灯１１及び対応する患者の個別表示灯１３を点滅させる。この代表表示灯１１が点滅することで、看護師は呼出操作をした患者の病室を速やかに特定できる。そして、保護プレート６の窓２３から個別表示灯１３の点滅を視認でき、呼び出しを行った患者のベッド位置を把握できるし、同時に窓２３から救護区分表示部１４を視認できる。
この時、看護師が更に患者氏名等を知りたい場合は保護プレート６を開ける。保護プレート６は、その下方の持ち上げ片２４を指に引っ掛けて手前に引くことで開操作でき、保護プレート６は軸２５を中心に回動して開けることができる。こうして患者表示領域７ｂが露出し、呼び出しを行った患者が誰を把握することができる。その後、手を離せば保護プレート６は自重で回転し、閉じた状態に戻り、プライバシー保護状態に戻る。そして、復旧ボタン１６を押すことで代表表示灯１１及び個別表示灯１３の点滅は停止する。
【００２６】
一方で、保護プレート６を開けたら、センサ１７がそれを検知する。センサ１７の検知信号を受けて、廊下灯ＣＰＵ２９はタイマ２８のカウントを開始させ、開放されたままの状態が所定時間継続したら、開状態が継続していることを制御機５を介してナースコール親機１に通知する。同時に、代表表示灯１１を点灯させ、開放状態にあることを報知する。
この通知を受けてナースコール親機１は、ＬＣＤ３３またはＳＰ／ＭＩＣ３６を用いて保護プレート６が開状態であることを報知する。この報知動作により、看護師は保護プレート６が開いたままであることを知り閉操作が促される。そして、保護プレート６が閉じられるとセンサ１７がそれを検知し、報知動作は停止する。
【００２７】
尚、廊下灯４からナースコール親機１に向けて出力される信号には、通常廊下灯ＩＤが付与されているので、第１廊下灯４ａから送られる報知信号の廊下灯ＩＤ情報から、どの廊下灯が開状態であるかをナースコール親機１で表示、或いは通知することが可能であり、看護師の速やかな対応に効果的である。また、開放状態にあることの第１廊下灯４ａでの報知動作は代表表示灯１１の点灯以外にブザー音等で報知動作させても良い。
【００２８】
このように、保護プレートに設けた窓により、個別表示灯と救護区分とを保護プレートを開けることなく視認できるので、最低限の患者情報を別途操作することなく速やかに得ることができる。また、保護プレートが開状態で放置されている場合、それを検知して報知するので、看護師等がプライバシーの保護を怠るような事態が生じない。
【００２９】
図７〜９は保護プレートの他の例を示し、図７は保護プレートの斜視図、図８は廊下灯ケースに装着した状態、図９は廊下灯ケースに装着して僅かに保護プレートを開けた状態を夫々示している。図に示すように、この保護プレート４３は、廊下灯ケース７に装着する装着枠４４と、装着枠４４に軸着して患者表示領域７ｂを開閉可能に覆う開閉プレート４５の２部材で構成されている。尚、上記図３に示す保護プレート６と共通の構成要素には同一の符号を付与し、装着する廊下灯ケース７は上記実施形態と同一となっている。
【００３０】
装着枠４４は、廊下灯ケース７の上面から左右側面に架け渡されて廊下灯ケース７にコ字状に係止する係止枠体４４ａと、係止枠体４４ａの左右側片に連結されて患者表示領域７ｂを囲む四角形枠状の前面枠体４４ｂ、そして係止枠体４４ａの上片と前面枠体４４ｂの上部を連結する左右２本の連結片４４ｃで構成されている。
係止枠体４４ａは、左右側片の内側に廊下灯ケース７の側面に上下に亘り設けられたスリット状溝４６に嵌合して装着状態を保持する爪片４７が、図７のＣ部を拡大した図１０（ａ）に示すように設けられている。この爪片４７は、係止枠体４４ａの適宜位置に設けられており、保護プレート４３を廊下灯ケース７の上方からスライド挿入操作することで容易に装着可能であるし、スリット状溝４６に爪片４７が嵌合することで外れ難くなる。
【００３１】
更に前面枠体４４ｂは、連結片４４ｃとの連結部に開閉プレート４５を軸着するための軸受け４８が設けられ、左右下部には図９のＤ部を拡大した図１０（ｂ）に示すように、開閉プレート４５を嵌合保持するための嵌合突起４９が設けられている。
尚、スリット状溝４６は、廊下灯ケース７を構成する上ケースと下ケースの連結部に形成した溝であって廊下灯ケース７に周設されている。
【００３２】
開閉プレート４５は板状に形成され、装着枠４４の軸受け４８に連結する一対の連結軸５０を上部に有し、軸着して回動開閉操作が可能となっている。そして、閉じた状態で各患者表示部１５の個別表示灯１３、救護区分表示部１４を露出される窓２３が開口され、下辺には持ち上げ片２４が設けられている。また、開閉プレート４５の左右側辺の下部には、図９のＥ部を拡大した図１０（ｃ）に示すように、前面枠体４４ｂの嵌合突起４９に嵌合する嵌合溝５１が設けられている。
【００３３】
このように保護プレートを構成すれば、装着枠により廊下灯ケースに取り付けるので、堅牢に取り付けることができるし、回動開閉操作で視認可能／不可能操作を実施でき、患者情報の視認操作がしやすい。また、廊下灯ケースに保護プレートを装着するために必要な構成要素は装着枠を保持する為の嵌合溝を設ける程度であるため、保護プレートを取り外しても廊下灯ケースに不必要な突起等のデザイン上の不自然な点を無くすことができ、保護プレートの有無に拘わらず廊下灯ケースのデザインを良好な状態に維持することができる。従って、保護プレートを備えた廊下灯と保護プレートを持たない廊下灯を、同一デザインの廊下灯ケースで構成しても、違和感なく構成することが可能となる。
また、装着枠に設けた嵌合突起を開閉プレートに設けた嵌合溝に嵌合させることで、開閉プレートは閉じた状態が保持されるので、自然に開くようなことがない。
更に、保護プレートと廊下灯ケース側面との間に互いにスリット状溝と爪片から成る嵌合部を設けたことで保護プレートを廊下灯ケースに確実に装着でき、自然に外れるようなことがないし、嵌合部は側面に設けられるので、前方からは目立たない。
【００３４】
尚、図７に示す保護プレート４３では、開閉プレート４５を廊下灯ケース７の前面で装着枠４４に軸着しているが、図３の保護プレート６に示すように、軸着部を廊下灯ケース７の左右側部に配置しても良い。
また、上記実施形態では、何れも保護プレート６，４３に個別表示灯１３、救護区分表示部１４の双方を視認可能とする窓を設けているが、何れか一方のみ視認可能とするだけでも良いし、全く窓を設けずに患者表示領域を完全に閉塞しても良い。
また、図３に示す保護プレート６は、嵌合溝２０に嵌合させているが、図８に示すように、スリット状溝４６に嵌合させても良い。
【図面の簡単な説明】
【００３５】
【図１】本発明に係るナースコール装置の実施形態の一例を示す構成図である。
【図２】図１の廊下灯の外観図で、（ａ）は保護プレートを外した状態の正面図、（ｂ）は側面図、（ｃ）は保護プレートを装着した状態の正面図である。
【図３】図１の保護プレートの斜視図である。
【図４】図３の部分拡大図を示し、（ａ）はＡ部拡大図、（ｂ）はＢ部拡大図である。
【図５】保護プレートの開閉動作を示す廊下灯の斜視図である。
【図６】図１の一部をブロック図で示した部分構成図である。
【図７】保護プレートの他の例を示す斜視図である。
【図８】図７の保護プレートを装着した廊下灯斜視図である。
【図９】図７の保護プレートの開閉動作を示す廊下灯斜視図である。
【図１０】図７の保護プレートの部分拡大図を示し、（ａ）はＣ部拡大図、（ｂ）はＤ部拡大図、（ｃ）はＥ部拡大図である。
【図１１】廊下灯を設置する際に使用する取付プレートの斜視図である。
【符号の説明】
【００３６】
１・・ナースコール親機、３・・ベッド子機、４・・廊下灯、４ａ・・第１廊下灯、４ｂ・・第２廊下灯、５・・制御機、６・・保護プレート、７・・廊下灯ケース、７ｂ・・患者表示領域、１０・・部屋番号表示部、１２・・患者名表示部、１３・・個別表示灯、１４・・救護区分表示部、１５・・患者表示部、１６・・復旧ボタン、１７・・センサ、１９・・軸受け、２０・・嵌合溝、２１・・ガイド部、２３・・窓、２５・・軸、２６・・嵌合片、２８・・タイマ、４２・・取付プレート、４３・・保護プレート、４４・・装着枠、４５・・開閉プレート、４６・・スリット状溝、４７・・爪片、４８・・軸受け、４９・・嵌合突起、５０・・連結軸、５１・・嵌合溝。
【図１】
2006102378.tif 000003
【図２】
2006102378.tif 000004
【図３】
2006102378.tif 000005
【図４】
2006102378.tif 000006
【図５】
2006102378.tif 000007
【図６】
2006102378.tif 000008
【図７】
2006102378.tif 000009
【図８】
2006102378.tif 000010
【図９】
2006102378.tif 000011
【図１０】
2006102378.tif 000012
【図１１】
2006102378.tif 000013